(57)【要約】      （修正有）【課題】便利で使用時に手をやけどしないやかんを提供する。【解決手段】やかんは、本体１、蓋３、注ぎ口４、取っ手２を含む。取っ手は、取っ手部２１と、二つの断熱部２２と、二つの接続部２３を含み、本体には、二つの突出する取っ手ベース２４が設置され、取っ手部の両端は、それぞれ二つの断熱部を介して二つの接続部の一端と接続され、二つの接続部の他端は、それぞれ二つの取っ手ベースに対してヒンジ接続されている。取っ手が本体にヒンジ接続されて断熱部を備えるため、熱伝導はある程度抑制され、本体の温度が非常に高い場合であっても、取っ手がそれ程熱くない。【選択図】図１
0003200378.tif 000002
【実用新案登録請求の範囲】
【請求項１】
本体、蓋、注ぎ口、取っ手を含むやかんにおいて、
前記取っ手は、取っ手部と、二つの断熱部と、二つの接続部とを含み、前記本体には、二つの突出する取っ手ベースが設置され、前記取っ手部の両端は、それぞれ前記二つの断熱部を介して前記二つの接続部の一端と接続され、前記二つの接続部の他端は、それぞれ前記二つの取っ手ベースに対してヒンジ接続されている
ことを特徴とするやかん。
【請求項２】
請求項１に記載のやかんにおいて、前記蓋に断熱つまみ部が設置されていることを特徴とするやかん。
【請求項３】
請求項２に記載のやかんにおいて、前記断熱つまみ部と前記断熱部とは、断熱材料によって作られていることを特徴とするやかん。
【請求項４】
請求項３に記載のやかんにおいて、前記断熱材料は、木材、石綿、牛の角、ヒスイ、大理石、瑪瑙或いは／及びダイヤモンドであることを特徴とするやかん。
【請求項５】
請求項１又は２に記載のやかんにおいて、前記本体、前記蓋、前記注ぎ口及び／或いは前記取っ手は、銀を含める材料によって作られていることを特徴とするやかん。
【請求項６】
請求項１又は２に記載のやかんにおいて、前記取っ手ベースに規制角部が設置されていることを特徴とするやかん。
【請求項７】
請求項１又は２に記載のやかんにおいて、前記注ぎ口に注ぎ口蓋が設けられており、該注ぎ口蓋には、水蒸気が通過する際に笛音を出すための笛が設けられていることを特徴とするやかん。
【請求項８】
請求項１又は２に記載のやかんにおいて、前記本体及び／或いは前記蓋に宝石が嵌設されていることを特徴とするやかん。
【請求項９】
請求項１又は２に記載のやかんにおいて、前記本体と前記蓋とは、嵌合構造により緊密に結合されていることを特徴とするやかん。
【考案の詳細な説明】
【技術分野】
【０００１】
本実用新案は、生活用品、特にやかんに関連する。
【背景技術】
【０００２】
日常生活において湯を沸かすことが必要であり、やかんを用いて湯を加熱して沸かすことが一般的である。しかし、各メーカーによる普通のやかん或いは電気ポットを使って沸かした湯を魔法瓶に入れる場合、やかん或いは電気ポットにおける湯が半分以下になったとき、他方の手でやかんの蓋を押さえないと、やかんの蓋が脱落するおそれがある。
【考案の概要】
【考案が解決しようとする課題】
【０００３】
ところで、このように手でやかんの蓋を押さえると、水蒸気がやかんの注ぎ口から噴出して使用者の手をやけどすることがある。さらに、従来のやかんの取っ手は合理的に設計されていない。従来の多くのやかんは、取っ手とやかんの本体が一体に構成されるとともに、取っ手自体も一体型である。こうしたやかんを使用する場合、やかんの本体を加熱すれば、やかんの取っ手の温度も本体とともに上昇し、やかん内にある液体の温度が高くなったときに、使用者が取っ手を使ってやかんを取りにくくなる。
【課題を解決するための手段】
【０００４】
上記課題を解決するために、本実用新案は便利で使用時に手をやけどしないやかんを提供する。
本実用新案に係るやかんは、本体、蓋、注ぎ口、取っ手を含み、前記取っ手は、取っ手部と、二つの断熱部と、二つの接続部を含み、前記本体には、二つの突出する取っ手ベースが設置され、前記取っ手部の両端は、それぞれ前記二つの断熱部を介して前記二つの接続部の一端と接続され、前記二つの接続部の他端は、それぞれ前記二つの取っ手ベースに対してヒンジ接続されている。
【０００５】
前記蓋に断熱つまみ部が設置されていることが好ましい。
前記断熱つまみ部と前記断熱部は、断熱材料によって作られることが好ましい。
前記断熱材料は、木材、石綿、牛の角、ヒスイ、大理石、瑪瑙或いは／及びダイヤモンドであることが好ましい。
【０００６】
前記本体、前記蓋、前記注ぎ口及び／或いは前記取っ手は、銀を含める材料によって作られることが好ましい。
前記取っ手ベースに規制角部が設置されていることが好ましい。
【０００７】
前記注ぎ口に注ぎ口蓋が設けられており、該注ぎ口蓋には、水蒸気が通過する際に笛音を出すための笛が設けられていることが好ましい。
前記本体及び／或いは前記蓋に宝石が嵌設されていることが好ましい。
【０００８】
前記本体と前記蓋とは、嵌合構造により緊密に結合されていることが好ましい。
本実用新案は、上述の構成を採用することにより、以下の効果を得ることができる。取っ手と本体とはピンジ接続されており、取っ手は、取っ手部と、断熱部と接続部を含む。これにより、ある程度で熱の伝達を抑制することができ、本体の温度がとても高いときにも、取っ手はそれ程熱くならない。水が沸くと、注ぎ口蓋に設けられた笛により笛音を出すため、使用者がすぐに気づくことができ、安全で実用的である。また、本体と蓋とは、嵌合構造を採用しており、この嵌合構造により緊密に結合されている。これにより、やかんにおける湯を魔法瓶に入れるとき、手で蓋を押さえる必要がなくなる。さらに、取っ手ベースは温感材料を採用し、取っ手部は夜光材料を採用している。これにより、比較的に暗い環境でも、使用者が取っ手部をはっきりと見え、使用時に手をやけどすることを抑制し、やかんを安全に使用することができる。
【図面の簡単な説明】
【０００９】
【図１】本実用新案の平面構造を示す図。
【考案を実施するための形態】
【００１０】
図１に示されるやかんは、本体１、蓋３、注ぎ口４、及び取っ手２を含む。前記取っ手２は、取っ手部２１と、二つの断熱部２２と、二つの接続部２３を含む。前記本体１には、二つの突出する取っ手ベース２４が設置されている。前記取っ手部２１の両端は、それぞれ二つの断熱部２２を介して二つの接続部２３の一端と連結されている。二つの接続部２３の他端は、それぞれ二つの取っ手ベース２４に対してヒンジ連結されている。
【００１１】
本実施例では、蓋３において突出する断熱つまみ部３１が設置されている。該断熱つまみ部３１と前述の断熱部２２とは断熱材料によって作られている。前記断熱材料は、木材、石綿、牛の角、ヒスイ、大理石、瑪瑙或いは／及びダイヤモンドであり、或いは上述の材料を組み合わせて嵌入することにより構成されている。こうした設計の利点は、加熱の際に熱伝達をある程度抑制することができ、本体１の温度が非常に高い場合であっても、取っ手部２１はそれ程熱くないことにある。
【００１２】
本実施例では、取っ手ベース２４に規制角部が設置されており、取っ手２は前記規制角部に付勢され、傾斜して立った状態である。取っ手ベース２４は、温感材料によって作られている。こうした設計の利点は、本体１が所定の温度に達したとき、取っ手ベース２４の色が変化し、これにより使用者に注意を払わせることにある。取っ手部２１は、夜光材料によって作られている。こうした設計の利点は、比較的に暗い環境でも、使用者が取っ手部２１をはっきりと見え、やかんを使用しやすくなることにある。
【００１３】
本実施例では、本体１、蓋３、注ぎ口４、及び／或いは取っ手２は、銀を含める材料によって作られている。本体１、蓋３、注ぎ口４、及び／或いは取っ手２は、鉄、ステンレス、或いはアルミニウムなどの他の金属、或いは非金属の材料により製造することもできる。本体１及び／或いは蓋３には、例えばダイヤモンド、ヒスイ、瑪瑙、珊瑚、水晶石、硬玉などの宝石が嵌設されている。また、本体１と蓋３とは、嵌合構造を採用しており、この嵌合構造により緊密に結合されている。これにより、やかんにおける湯を魔法瓶に入れるとき、手で蓋２を押さえる必要がなくなる。
【００１４】
本実施例では、注ぎ口４において注ぎ口蓋が設けられており、当該注ぎ口蓋には、水蒸気が通過する際に笛音を出すための笛が設けられている。湯が沸くと、注ぎ口蓋に設けられた笛により笛音が出るため、使用者がすぐに気づくことができる。さらに、本体１の底面には、同心でかつ異なる直径を有する円形の溝が設置されている。
【符号の説明】
【００１５】
１…本体、２…取っ手、２１…取っ手部、２２…断熱部、２３…接続部、２４…取っ手ベース、３…蓋、３１…断熱つまみ部、４…注ぎ口。
【図１】
0003200378.tif 000003